(57)【要約】      （修正有）【課題】トンネル型の装置本体内にて、飲食物が充填された容器を移送しつつ該容器に加熱水又は冷却水を散水することにより容器を加熱し、冷却するようにした装置において、散水部材から容器に散水した加熱水の蒸発を抑えることにより、熱エネルギの無駄をなくすと共に、容器を所期の通りに加熱することができる装置を提供する。【解決手段】加熱水又は冷却水を散水するための散水部材３１，３２等のうちで加熱水を散水するための散水部材に縦断面が概ね冂の字形のカバー５１，５２，５３等が着脱自在に引っ掛けて止められている。かかる縦断面が概ね冂の字形のカバーにより、加熱水を散水するための該散水部材と容器Ａとの間のスペースが囲まれ、散水部材から散水した加熱水の蒸発が抑えられるので、それだけ熱エネルギの無駄をなくすことができ、また容器を所期の通りに加熱することができる。カバーは散水部材に着脱自在に引っ掛け止めされているので、加熱し、冷却する容器の大きさや形状に応じて適宜変更することができる。【選択図】図１
0003160623.tif 000002
【実用新案登録請求の範囲】
【請求項１】
内容物が充填密封された複数の容器を、トンネル型の装置本体内にてその入口から出口へと移送しつつ、該容器にその上方から温度の制御された加熱水又は冷却水を散水して、該容器を加熱し、そして冷却するようにした容器の加熱及び冷却装置において、加熱水を散水するための散水部材に縦断面が概ね冂の字形のカバーが着脱自在に引っ掛け止めされて成ることを特徴とする容器の加熱及び冷却装置。
【請求項２】
散水部材が、給水管に複数のノズル孔が所定間隔で穿設されたものである請求項１記載の容器の加熱及び冷却装置。
【請求項３】
散水部材が、給水管から所定間隔で分岐された複数の枝管にノズルが取付けられたものである請求項１記載の容器の加熱及び冷却装置。
【請求項４】
散水部材が、給水管にカバーを支持するための舌片が取付けられたものである請求項２又は３記載の容器の加熱及び冷却装置。
【請求項５】
給水管が、容器の移送方向と直交する方向へ複数並設されたものである請求項２〜４のいずれか一つの項記載の容器の加熱及び冷却装置。
【考案の詳細な説明】
【技術分野】
【０００１】
本考案は容器の加熱及び冷却装置に関する。例えば飲食品が充填され、密封された缶、瓶又はプラスチック等の容器を加熱し、冷却するとき、かかる容器をトンネル型の装置本体内にてその入口から出口へと移送しつつ、該容器にその上方から温度の制御された加熱水又は冷却水を散水する容器の加熱及び冷却装置が使用される。本考案はかかる容器の加熱及び冷却装置の改良に関する。
【背景技術】
【０００２】
従来、前記のような容器の加熱及び冷却装置として、トンネル型の装置本体内にて容器を入口から出口へと移送するときに用いるキャリアに振動を加える加振装置を設けたもの（特許文献１参照）、トンネル型の装置本体内にて容器に散水する加熱水又は冷却水の温度を制御する特定の温度制御手段を設けたもの（特許文献２参照）、トンネル型の装置本体の天井壁から仕切板を設けたもの（特許文献３参照）、トンネル型の装置本体内にて容器に散水する冷却水に薬剤を供給する薬剤供給手段を設けたもの（特許文献４参照）、トンネル型の装置本体内に散水した加熱水又は冷却水を貯留する温水槽、高温水槽及び冷却用温水槽を設けたもの（特許文献５参照）等が知られている。
【０００３】
しかし、これらの従来装置には、容器にその上方から温度の制御された加熱水又は冷却水を散水するための散水部材と該容器との間に相当のスペースがあり、散水部材から散水した加熱水の一部がかかるスペースで蒸発してその温度が下がってしまうため、容器を所期の通りに加熱することができなかったり、また容器を所期の通りに加熱しようとすると、散水する加熱水をその蒸発分だけ予め余分に加熱しておかなければならないという問題がある。トンネル型の装置本体内にて容器を移送しつつ加熱し、冷却する前記のような容器の加熱及び冷却装置では、様々な大きさや形状の容器を加熱し、冷却するため、容器に加熱水又は冷却水を散水するための散水部材は、最も背丈の高い容器を移送しつつ加熱し、冷却する場合でもその移送の妨げとならない位置、言い替えれば安全を見込んで比較的高い位置に取付けられるので、容器によっては該容器と散水部材との間に大きなスペースが形成され、これが前記したような問題を引き起こすことになるのである。同様の問題は、散水部材の点検、清掃、補修等に備えて設けた、該散水部材とトンネル型の装置本体の内壁面との間のスペースによっても起きる。
【先行技術文献】
【特許文献】
【０００４】
【特許文献１】特開昭６２−２８７８９０号公報
【特許文献２】特開２００２−１２２０８号公報
【特許文献３】特開２００２−６６４０８号公報
【特許文献４】特開２００２−３７０７１７号公報
【特許文献５】特開２００９−１８８３６号公報
【考案の概要】
【考案が解決しようとする課題】
【０００５】
本考案が解決しようとする課題は、トンネル型の装置本体内にて、容器を移送しつつ該容器に加熱水又は冷却水を散水することにより容器を加熱し、冷却するようにした容器の加熱及び冷却装置において、散水部材から容器に散水した加熱水の蒸発を抑えることにより、熱エネルギの無駄をなくすと共に、容器を所期の通りに加熱することができる装置を提供する処にある。
【課題を解決するための手段】
【０００６】
前記の課題を解決する本考案は、内容物が充填密封された複数の容器を、トンネル型の装置本体内にてその入口から出口へと移送しつつ、該容器にその上方から温度の制御された加熱水又は冷却水を散水して、該容器を加熱し、そして冷却するようにした容器の加熱及び冷却装置において、加熱水を散水するための散水部材に縦断面が概ね冂の字形のカバーが着脱自在に引っ掛け止めされて成ることを特徴とする容器の加熱及び冷却装置に係る。
【０００７】
本考案に係る容器の加熱及び冷却装置（以下、単に本考案に係る装置という）は、内容物が充填密封された複数の容器を、トンネル型の装置本体内にてその入口から出口へと移送しつつ、該容器にその上方から温度の制御された加熱水又は冷却水を散水して、該容器を加熱し、そして冷却するようにした装置である。したがって、本考案に係る装置は通常、入口及び出口を有するトンネル型の装置本体と、該装置本体内にて容器を該入口から該出口へと移送する移送手段と、移送中の該容器に加熱水又は冷却水を散水するための散水部材と、散水した加熱水又は冷却水を貯留する貯水槽と、該貯水槽の加熱水又は冷却水を前記の散水部材に循環させる循環手段と、散水部材から散水する加熱水又は冷却水の温度を制御する温度制御手段とを備えている。
【０００８】
本考案に係る装置は、加熱水又は冷却水を散水するための散水部材のうちで加熱水を散水するための散水部材に縦断面が概ね冂の字形のカバーが着脱自在に引っ掛けて止められている。かかる縦断面が概ね冂の字形のカバーにより、加熱水を散水するための散水部材と容器との間のスペースが囲まれ、散水部材から散水した加熱水の蒸発が抑えられるので、それだけ熱エネルギの無駄をなくすことができ、また容器を所期の通りに加熱することができる。カバーは散水部材に着脱自在に引っ掛け止めされているので、加熱し、冷却する容器の大きさや形状に応じて適宜変更することができる。
【０００９】
本考案に係る装置において、容器に加熱水を散水するための散水部材の形状や構造は特に制限されないが、散水部材としては、給水管に複数のノズル孔が所定間隔で穿設されたものが好ましく、また給水管から所定間隔で分岐された複数の枝管にノズルが取付けられたものが好ましく、更に給水管にカバーを支持するための舌片が取付けられたものが好ましい。そして給水管は、容器の移送方向と直交する方向へ複数並設されたものが好ましい。
【考案の効果】
【００１０】
本発明に係る装置によると、散水部材から容器に散水した加熱水の蒸発を抑えることができるので、それだけ熱エネルギの無駄をなくすことができ、また容器を所期の通りに加熱することができるという効果がある。
【図面の簡単な説明】
【００１１】
【図１】本考案に係る装置を一部縦断面で例示する正面図。
【図２】図１と同じ本考案に係る装置のカバーを示す拡大斜視図。
【図３】図１と同じ本考案に係る装置の他のカバーを示す拡大斜視図。
【図４】図１と同じ本考案に係る装置の更に他のカバーを示す拡大斜視図。
【図５】本考案に係る他の装置において容器との関係で散水部材とカバーとを示す正面図。
【図６】本考案に係る更に他の装置において容器との関係で散水部材とカバーとを示す正面図。
【実施例】
【００１２】
図１に例示した本考案に係る装置は、入口１１及び出口１２を有するトンネル型の装置本体１３と、装置本体１３内にて容器Ａを入口１１から出口１２へと移送する移送手段としてのコンベア２１と、移送中の容器Ａに加熱水又は冷却水を散水するための散水部材３１，３２と、散水した加熱水又は冷却水を貯留する貯水槽４１，４２と、貯水槽４１の加熱水を散水部材３１に循環させる図示しない循環手段と、貯水槽４２の冷却水を散水部材３２に循環させる図示しない循環手段と、散水部材３１から散水する加熱水の温度を制御する図示しない温度制御手段と、散水部材３２から散水する冷却水の温度を制御する図示しない温度制御手段とを備えている。図示しない循環手段それ自体は公知のもので、ポンプやバルブ等を介装した配管系からなっている。また図示しない温度制御手段もそれ自体は公知のもので、温度検出器を介装した配管系からなっており、該温度検出器からの検出信号により、演算制御装置を介して、加熱水の温度を調節する場合には加熱水蒸気の供給量を調節し、また冷却水の温度を調節する場合は新たに追加する冷却水の供給量を制御するようになっている。
【００１３】
図１では、散水部材３１，３２は容器Ａの移送方向と直交する方向へ複数並設されており、各散水部材３１，３２は、装置本体１３に取付けられた給水管３１ａ，３２ａの周部下端に所定間隔で複数のノズル孔３１ｂが穿設されたものからなっている。図示を省略するが、加熱水を散水するための散水手段３１の各給水管３１ａはそれらの基端部（図１の背面）で集合管に合流されており、該集合管は前記した加熱水用の循環手段の配管系の一部となっている。また同様に図示を省略するが、冷却水を散水するための散水手段３２の各給水管３２ａはそれらの基端部（図１の背面）で集合管に合流されており、該集合管は前記した冷却水用の循環手段の配管系の一部となっている。
【００１４】
図１の装置は、内容物が充填密封された複数の容器Ａを、トンネル型の装置本体１３内にてその入口１１から出口１２へと移送しつつ、容器Ａにその上方の散水部材３１，３２から温度の制御された加熱水又は冷却水を散水して、容器Ａを加熱し、そして冷却するようなっている。
【００１５】
また図１に例示した本考案に係る装置は、加熱水又は冷却水を散水するための散水部材３１，３２のうちで加熱水を散水するための散水部材３１の給水管３１ａに縦断面が概ね冂の字形のカバー５１〜５３が着脱自在に引っ掛けて止められており、具体的には、隣接する２本の給水管３１ａ毎でカバー５１〜５３が被せられた状態になっている。カバー５１〜５３はいずれも縦断面が概ね冂の字形になっており、図２〜図４に示すように、入口１１に近い位置のカバー５１は左側面が長く、右側面が短い冂の字形に、また中央のカバー５２は両側面が短い冂の字形に、更に出口１２の側の冷却域に近い位置のカバー５３は左側面が短く、右側面が長い冂の字形になっている。縦断面が概ね冂の字形のカバー５１〜５３により、加熱水を散水するための散水部材３１と容器Ａとの間のスペースが囲まれ、各給水管３１ａの各ノズル孔３１ｂから散水した加熱水の蒸発が抑えられるので、それだけ熱エネルギの無駄をなくすことができ、また容器Ａを所期の通りに加熱することができる。カバー５１〜５３は散水部材３１に着脱自在に引っ掛け止めされているので、加熱し、冷却する容器の大きさや形状に応じて適宜変更することができる。
【００１６】
本考案に係る装置において、容器に加熱水を散水するための散水部材の形状や構造は特に制限されない。散水部材としては、図１に示したように、給水管３１ａに複数のノズル孔３１ｂが所定間隔で穿設されたものの他に、図５に示した散水部材３３のように、給水管３３ａに複数の枝管３３ｂが所定間隔で分岐されており、各枝管３３ｂの先端にノズル３３ｃが取付けられたものや、図６に示した散水部材３４のように、給水管３４ａの周部下端に複数のノズル孔３４が所定間隔で穿設されており、給水管３４ａの周部上端にカバー５５を支持するための舌片３４ｃが取付けられたもの等が挙げられる。そして図５の場合、カバー５４は給水管３３ａとノズル３３ｃとにまたがって被せられた状態になっており、また図６の場合、カバー５５は隣接する２本の給水管３４ａにまたがって舌片３１ｃ上から被せられた状態になっている。
【符号の説明】
【００１７】
１１                    入口
１２                    出口
１３                    装置本体
２１                    コンベア
３１〜３４              散水部材
３１ａ〜３４ａ          給水管
３１ｂ，３２ｂ，３４ｂ  ノズル孔
３３ｂ                  枝管
３３ｃ                  ノズル
４１，４２              貯水槽
５１〜５５              カバー
【図１】
0003160623.tif 000003
【図２】
0003160623.tif 000004
【図３】
0003160623.tif 000005
【図４】
0003160623.tif 000006
【図５】
0003160623.tif 000007
【図６】
0003160623.tif 000008